(57)【特許請求の範囲】
【請求項１】
外箱と、
前記外箱に設けられ各種設定を行うための操作表示装置と、を備え、
前記操作表示装置は、
透光性を有する板材に表示部が中抜き印刷され、厚み方向に貫通して形成された開口部を有する飾りパネルと、
前記飾りパネルの裏面側に設けられ、前記飾りパネルに対するユーザからのタッチ操作を検出することが可能な検出部材と、
前記飾りパネルの裏面側に設けられ、点灯により前記表示部を表示させる表示用光源と、
少なくとも電源を入れるためのものであって、前記飾りパネルの裏面側に設けられ、ユーザからの押圧操作を受ける押圧部材を有し、前記押圧部材を前記開口部から外部へ露出させている機械式のスイッチ装置と、を有し、
前記押圧部材の外表面は、前記飾りパネルの外表面と略同一面上に位置しており、
前記スイッチ装置は、
スイッチ本体と、
容器状に形成され、その容器状の底部の一方側に前記押圧部材が設けられ他方側に前記スイッチ本体が設けられるとともに、前記底部を貫いて形成された透光部を有するケース部材と、
前記スイッチ本体の入力部に対応し、周囲に前記底部の厚み方向に連通する連通部を有し前記底部の厚み方向へ移動可能に設けられ、前記押圧部材に入力された押圧力を前記入力部に伝達する伝達部と、
前記ケース部材に対して軸部を支点にして前記押圧部材の押圧方向へ回動可能なレバー部材と、
平面視において前記透光部と重なる位置に設けられ、前記押圧部材に光を照射するスイッチ用光源と、を更に有し、
前記レバー部材において前記押圧部材が設けられている部分又は前記押圧部材には、前記スイッチ用光源の点灯により表示される表示部が設けられている、
洗濯機。
【請求項２】
外箱と、
前記外箱に設けられ各種設定を行うための操作表示装置と、を備え、
前記操作表示装置は、
タッチパネルディスプレイを含んで構成され、厚み方向に貫通して形成された開口部を有する飾りパネルと、
少なくとも電源を入れるためのものであって、前記飾りパネルの裏面側に設けられ、ユーザからの押圧操作を受ける押圧部材を有し、前記押圧部材を前記開口部から外部へ露出させている機械式のスイッチ装置と、を有し、
前記押圧部材の外表面は、前記飾りパネルの外表面と略同一面上に位置しており、
前記スイッチ装置は、
スイッチ本体と、
容器状に形成され、その容器状の底部の一方側に前記押圧部材が設けられ他方側に前記スイッチ本体が設けられるとともに、前記底部を貫いて形成された透光部を有するケース部材と、
前記スイッチ本体の入力部に対応し、周囲に前記底部の厚み方向に連通する連通部を有し前記底部の厚み方向へ移動可能に設けられ、前記押圧部材に入力された押圧力を前記入力部に伝達する伝達部と、
前記ケース部材に対して軸部を支点にして前記押圧部材の押圧方向へ回動可能なレバー部材と、
平面視において前記透光部と重なる位置に設けられ、前記押圧部材に光を照射するスイッチ用光源と、を更に有し、
前記レバー部材において前記押圧部材が設けられている部分又は前記押圧部材には、前記スイッチ用光源の点灯により表示される表示部が設けられている、
洗濯機。
【請求項３】
外箱と、
前記外箱に設けられ各種設定を行うための操作表示装置と、を備え、
前記操作表示装置は、
透光性を有する板材に表示部が中抜き印刷され、厚み方向に貫通して形成された開口部を有する飾りパネルと、
前記飾りパネルの裏面側に設けられ、前記飾りパネルに対するユーザからのタッチ操作を検出することが可能な検出部材と、
前記飾りパネルの裏面側に設けられ、点灯により前記表示部を表示させる表示用光源と、
少なくとも電源を入れるためのものであって、前記飾りパネルの裏面側に設けられ、ユーザからの押圧操作を受ける押圧部材を有し、前記押圧部材を前記開口部から外部へ露出させている機械式のスイッチ装置と、を有し、
前記押圧部材の外表面は、前記飾りパネルの外表面と略同一面上に位置しており、
前記スイッチ装置は、
スイッチ本体と、
容器状に形成され、その容器状の底部の一方側に前記押圧部材が設けられ他方側に前記スイッチ本体が設けられ、前記底部の厚み方向に連通する連通部を有するケース部材と、
前記スイッチ本体の入力部に対応し、前記底部の厚み方向へ移動可能に設けられ、前記押圧部材に入力された押圧力を前記入力部に伝達する伝達部と、
弾性を有する材料で構成され、前記押圧部材の押圧方向に対して前記伝達部と前記押圧部材との間に設けられ、前記連通部を覆うキャップ部材と、を有する、
洗濯機。
【請求項４】
外箱と、
前記外箱に設けられ各種設定を行うための操作表示装置と、を備え、
前記操作表示装置は、
タッチパネルディスプレイを含んで構成され、厚み方向に貫通して形成された開口部を有する飾りパネルと、
少なくとも電源を入れるためのものであって、前記飾りパネルの裏面側に設けられ、ユーザからの押圧操作を受ける押圧部材を有し、前記押圧部材を前記開口部から外部へ露出させている機械式のスイッチ装置と、を有し、
前記押圧部材の外表面は、前記飾りパネルの外表面と略同一面上に位置しており、
前記スイッチ装置は、
スイッチ本体と、
容器状に形成され、その容器状の底部の一方側に前記押圧部材が設けられ他方側に前記スイッチ本体が設けられ、前記底部の厚み方向に連通する連通部を有するケース部材と、
前記スイッチ本体の入力部に対応し、前記底部の厚み方向へ移動可能に設けられ、前記押圧部材に入力された押圧力を前記入力部に伝達する伝達部と、
弾性を有する材料で構成され、前記押圧部材の押圧方向に対して前記伝達部と前記押圧部材との間に設けられ、前記連通部を覆うキャップ部材と、を有する、
洗濯機。
【請求項５】
前記伝達部は、前記ケース部材又は前記キャップ部材と一体に形成されている、
請求項３又は４に記載の洗濯機。
【請求項６】
前記ケース部材は、前記底部に滴下した液体を前記スイッチ本体の側方を通って前記ケース部材の下方へ排水する排水部を更に有する、
請求項１から５のいずれか一項に記載の洗濯機。
【請求項７】
前記排水部は、前記スイッチ本体の下端部よりも下方へ延びている、
請求項６に記載の洗濯機。
【請求項８】
前記スイッチ装置は、電源を入れるための電源入用スイッチ部と、電源を切るための電源切用スイッチ部と、を有する、
請求項１から７のいずれか一項に記載の洗濯機。
【発明の詳細な説明】
【技術分野】
【０００１】
本発明の実施形態は、洗濯機に関する。
【背景技術】
【０００２】
一般に、洗濯機は、運転に関する設定及び表示を行うための操作表示装置を備えている。例えば操作表示装置は、表示部が設けられた飾りパネルと、表示部に対して光を照射する光源と、を有している。そして、光源が点灯することで、表示部が表示される。飾りパネルは、例えば表示部を中抜き印刷したフィルムを、透光性を有する樹脂製の板材の表面又は裏面に貼り付けて構成されている。
【０００３】
しかしながら、この様な構成においては、例えば液体洗剤や洗剤を溶解した水等の液体がフィルムと板材との間に侵入すると、フィルムの剥がれ等が生じるおそれがあり、その結果、意匠性の低下に繋がる。
【先行技術文献】
【特許文献】
【０００４】
【特許文献１】特開２０１３−２２２２１２号公報
【発明の概要】
【発明が解決しようとする課題】
【０００５】
そこで、操作表示装置の飾りパネルに対して液体洗剤や洗剤を溶解した水等の液体が接触することに起因する意匠性の低下を防ぐことができる洗濯機を提供する。
【課題を解決するための手段】
【０００６】
実施形態の洗濯機は、外箱と、前記外箱に設けられ各種設定を行うための操作表示装置と、を備える。前記操作表示装置は、透光性を有する板材に表示部が中抜き印刷され、厚み方向に貫通して形成された開口部を有する飾りパネルと、前記飾りパネルの裏面側に設けられ、前記飾りパネルに対するユーザからのタッチ操作を検出することが可能な検出部材と、前記飾りパネルの裏面側に設けられ、点灯により前記表示部を表示させる表示用光源と、少なくとも電源を入れるためのものであって、前記飾りパネルの裏面側に設けられ、ユーザからの押圧操作を受ける押圧部材を有し、前記押圧部材を前記開口部から外部へ露出させている機械式のスイッチ装置と、を有する。前記押圧部材の外表面は、前記飾りパネルの外表面と略同一面上に位置している。前記スイッチ装置は、スイッチ本体と、容器状に形成され、その容器状の底部の一方側に前記押圧部材が設けられ他方側に前記スイッチ本体が設けられるとともに、前記底部を貫いて形成された透光部を有するケース部材と、前記スイッチ本体の入力部に対応し、周囲に前記底部の厚み方向に連通する連通部を有し前記底部の厚み方向へ移動可能に設けられ、前記押圧部材に入力された押圧力を前記入力部に伝達する伝達部と、前記ケース部材に対して軸部を支点にして前記押圧部材の押圧方向へ回動可能なレバー部材と、平面視において前記透光部と重なる位置に設けられ、前記押圧部材に光を照射するスイッチ用光源と、を更に有し、前記レバー部材において前記押圧部材が設けられている部分又は前記押圧部材には、前記スイッチ用光源の点灯により表示される表示部が設けられている。
【図面の簡単な説明】
【０００７】
【図１】第１実施形態による洗濯機の一例を示す斜視図
【図２】第１実施形態による操作表示装置を分解して示す斜視図
【図３】第１実施形態について、操作表示装置周辺の構成を示す縦断側面図
【図４】第１実施形態による飾りパネルの構成の一例を示す図
【図５】第１実施形態によるスイッチ装置を分解して示す斜視図
【図６】第１実施形態によるスイッチ装置の平面図
【図７】第１実施形態によるスイッチ装置について、図６のＸ７−Ｘ７線に沿って示す縦断側面図
【図８】第１実施形態によるスイッチ装置について、図６のＸ８−Ｘ８線に沿って示す縦断側面図
【図９】第１実施形態について、スイッチ装置周辺の構成を示す縦断書面図
【図１０】第１実施形態について、洗濯機の電源が切れている状態における操作表示装置の表示内容の一例を示す図
【図１１】第１実施形態について、洗濯機の電源が入っている状態における操作表示装置の表示内容の一例を示す図
【図１２】第１実施形態について、取付部材の後端縁部周辺の構成を示す縦断側面図
【図１３】第１実施形態について、取付部材と飾りパネルとを組み立て方法を示す縦断側面図
【図１４】第１実施形態について、外箱の収容部における側壁間の寸法と飾りパネルの両端間の寸法との関係を概略的に示す図
【図１５】第１実施形態について、操作表示装置を外箱の収容部内に設けた状態を概略的に示す図
【図１６】他の実施形態による洗濯機の一例を示す斜視図
【発明を実施するための形態】
【０００８】
以下、複数の実施形態について図面を参照しながら説明する。なお、各実施形態で実質的に同一の要素には同一の符号を付し、説明を省略する。
【０００９】
（第１実施形態）
図１に示す洗濯機１０は、例えばドラム式洗濯機であって、外箱１１、扉１２、注水ケース１３、給水口１４、及び天板１５を備えている。なお、洗濯機１０において、扉１２側を洗濯機１０の前側とし、扉１２と反対側を洗濯機１０の後側とする。また、洗濯機１０の前後方向に対して直角方向を、洗濯機１０の左右方向とする。
【００１０】
外箱１１は、洗濯機１０の外殻を構成するもので、前面がやや傾斜した矩形の箱状に形成されている。外箱１１は、例えば白色を基調として構成されている。外箱１１の前面中央部分には、開口１１１が設けられている。開口１１１は、外箱１１の内部に設けられた図示しない回転槽に連通されており、洗濯物は、この開口１１１を通して回転槽内に出し入れされる。扉１２は、ヒンジ開閉式の扉であって、開口１１１を開閉可能に設けられている。
【００１１】
注水ケース１３は、例えば外箱１１の上部左側寄り部分に設けられている。注水ケース１３は、引き出し式の容器状に形成されている。注水ケース１３の内部には、洗剤や柔軟仕上げ剤が投入される。給水口１４は、外箱１１の後部上面に設けられている。給水口１４は、図示しない給水ホースによって水源となる水道の蛇口に接続される。水道の蛇口からの水は、給水ホース及び給水口１４を通って、注水ケース１３内へ供給される。そして、注水ケース１３内に供給された水は、注水ケース１３内に投入された洗剤や柔軟仕上げ剤を溶解して、外箱１１内に設けられた図示しない水槽内へ注水される。また、天板１５は、例えば樹脂製であって、外箱１１の上面部の後側部分を覆っている。天板１５は、例えば白色を基調として構成されている。
【００１２】
洗濯機１０は、操作表示装置２０を備えている。操作表示装置２０は、洗濯機１０の運転に関する各種設定を行うもので、図１に示すように、外箱１１の上部前側に設けられている。操作表示装置２０は、洗濯機１０の上面前側部分を構成する。操作表示装置２０は、図２に示すように、飾りパネル２１、取付部材２２、透明電極フィルム２３、圧接部材２４、光源ホルダ２５、回路基板２６、基板ケース２７、及びスイッチ装置３０、を有して構成されている。
【００１３】
外箱１１は、図３に示すように、収容部１１２を有している。収容部１１２は、外箱１１の上部前側において、外箱１１を例えば平面視で矩形に窪ませて形成されている。なお、本実施形態では、飾りパネル２１の面に対して直角方向に見た場合、すなわち図３、図７、及び図８の矢印Ａ方向に見た場合を平面視と称する。
【００１４】
操作表示装置２０の構成要素のうち飾りパネル２１以外の要素、すなわち取付部材２２、透明電極フィルム２３、圧接部材２４、光源ホルダ２５、回路基板２６、基板ケース２７、及びスイッチ装置３０は、収容部１１２内に収容されている。そして、飾りパネル２１は、これら取付部材２２、透明電極フィルム２３、圧接部材２４、光源ホルダ２５、回路基板２６、基板ケース２７、及びスイッチ装置３０の上方を覆っている。また、飾りパネル２１は、図１に示すように、注水ケース１３の上方を覆っている。
【００１５】
飾りパネル２１は、操作表示装置２０の外表面つまり洗濯機１０の外表面を構成している。すなわち、取付部材２２、透明電極フィルム２３、圧接部材２４、光源ホルダ２５、回路基板２６、基板ケース２７、及びスイッチ装置３０は、全て飾りパネル２１の裏面側に設けられている。なお、本実施形態において、飾りパネル２１の裏面は、収容部１１２側の面を指し、飾りパネル２１の表面は、外部に露出されている側の面を指す。
【００１６】
飾りパネル２１は、例えば透光性を有し耐薬品性及び耐衝撃性に優れた強化ガラス製の板を母材にして構成されている。飾りパネル２１は、外箱１１の幅方向つまり左右方向の全域に亘る大きさであって、例えば厚さ５ｍｍ程度の一枚のガラス板で構成されている。本実施形態の場合、飾りパネル２１は、洗濯機１０の左右方向に長く、その周囲に切欠き等有していない長方形状に形成されている。なお、飾りパネル２１は、例えば合成樹脂等であってもよい。また、飾りパネル２１は、図１に示すように、洗濯機１０の前側へ向かって下降傾斜している。そのため、飾りパネル２１は、ユーザからの視認性や操作性が良く、また、飾りパネル２１の拭き取りもし易い。
【００１７】
飾りパネル２１は、図１及び図２に示すように、入スイッチ用開口部２１１及び切スイッチ用開口部２１２を有している。入スイッチ用開口部２１１及び切スイッチ用開口部２１２は、飾りパネル２１を厚み方向へ例えば円形に貫いて形成されている。なお、入スイッチ用開口部２１１及び切スイッチ用開口部２１２は、円形に限られず、例えば矩形等であってもよい。入スイッチ用開口部２１１及び切スイッチ用開口部２１２は、飾りパネル２１の右部前側において左右方向に並んで設けられている。
【００１８】
飾りパネル２１は、図４に示すように、複数の表示部２８を有している。なお、実際には、各表示部２８を示す黒色の実線は、飾りパネル２１の母材の地色つまり透明色又は半透明色となる。また、各表示部２８の周囲の白色つまり図４の飾りパネル２１内における紙面の地色は、透光性の無い又透光性の低い有色となっている。
【００１９】
表示部２８は、例えば７セグメントによる表示部２８１や、文字、記号又は図形による表示部２８２、２８３から構成されている。なお、各表示部２８１〜２８３を総称する場合には、単に表示部２８と称する。この場合、詳細は図示しないが、各表示部２８における円形や矩形の内側には、設定内容や操作内容を示す文字や記号が設けられている。
【００２０】
表示部２８は、上述したように、例えば透明又は半透明であって、透光性を有している。そして、表示部２８は、飾りパネル２１の裏側から光が照射されることにより飾りパネル２１に浮かび上がるように表示される。飾りパネル２１の裏側から光が照射されていない状態では、当該文字及び図形は、飾りパネル２１に表示されない。
【００２１】
表示部２８は、飾りパネル２１の裏側面つまり図３における収容部１１２側の面に対して、文字、記号又は図形を中抜き印刷することにより設けられている。この場合、中抜き印刷とは、母材に対して、文字、記号又は図形以外の部分に塗料を塗り、文字、記号又は図形部分は母材の地色を残すようにした印刷方法を意味する。
【００２２】
本実施形態の場合、各表示部２８部分を除いた飾りパネル２１の裏面全体に対して遮光性を有する例えば白色塗料を塗ることで、表示部２８が飾りパネル２１の裏側面に印刷されている。この場合、表示部２８は、例えばスクリーン印刷によって、飾りパネル２１の裏面に中抜き状態で印刷されている。また、以下の説明では、表示部２８の周囲の色を、飾りパネル２１の塗装色と称する。すなわち、本実施形態の場合、飾りパネル２１の塗装色は白色である。
【００２３】
各表示部２８１〜２８３のうち、他の表示部より比較的大きく形成された表示部２８３は、ユーザによるタッチ操作の入力を受け付ける操作部としても機能する。この場合、操作部を兼ねた表示部２８３を、操作表示部２８３と称する。
【００２４】
図２に示すように、基板ケース２７は、例えば樹脂製であって矩形の容器状に形成されている。基板ケース２７は、内部に回路基板２６を収容している。回路基板２６は、左右方向に長い横長の矩形状に構成されている。回路基板２６には、詳細は図示しないが、マイコンなどの電子部品や、７セグメントディスプレイ、及び図３に示すＬＥＤなどの複数の表示用光源２６１などが実装されている。
【００２５】
７セグメントディスプレイや表示用光源２６１は、各表示部２８に対応する位置つまり各表示部２８の下方に設けられている。この場合、図示しないマイコンなどの電子部品によって、飾りパネル２１に対するユーザのタッチ操作を検出する検出回路や、各表示用光源２６１の点灯を制御して表示部２８の表示を制御する表示回路が構成されている。
【００２６】
光源ホルダ２５は、遮光性を有する例えば樹脂などの部材で構成され、ある程度の厚みを有している。図３に示すように、光源ホルダ２５は、個々の表示用光源２６１に対応して複数の遮光部２５１を有している。遮光部２５１は、椀状の底部に穴２５２を有している。回路基板２６に設けられた表示用光源２６１は、この穴２５２から遮光部２５１内に挿入される。そして、ある遮光部２５１内において表示用光源２６１から照射された光は、他の遮光部２５１へ漏れ出ないようになっている。これにより、複数の表示用光源２６１のうち一の表示用光源２６１が点灯すると、その点灯した表示用光源２６１に対応する表示部２８が、飾りパネル２１の表面に浮かび上がるように表示される。
【００２７】
透明電極フィルム２３は、飾りパネル２１に対するユーザからのタッチ操作を検出する検出部材である。透明電極フィルム２３は、透光性を有するシート状の部材で構成されている。透明電極フィルム２３は、静電容量の変化を検出するための検出電極として複数の検出部２３１を有している。透明電極フィルム２３は、回路基板２６の検出・表示回路に接続されている。回路基板２６は、透明電極フィルム２３の検出部２３１と使用者の例えば指との間の静電容量の変化を検出し、これにより飾りパネル２１に対するユーザのタッチ操作を検出する。
【００２８】
圧接部材２４は、例えば弾性を有する透明な樹脂材料で構成されている。圧接部材２４は、図３に示すように、透明電極フィルム２３と光源ホルダ２５との間に設けられており、透明電極フィルム２３を飾りパネル２１の裏側面へ押し付けている。
【００２９】
スイッチ装置３０は、洗濯機１０の電源を入り切りするための機械式のスイッチ装置である。本実施形態の場合、スイッチ装置３０は、図５に示すように、１つのケース部材６０に対して、２つのスイッチ部すなわち電源入用スイッチ部４０と、電源切用スイッチ部５０とを設けて構成されている。
【００３０】
電源入用スイッチ部４０は、ユーザの操作によって洗濯機１０の電源を入れるためのものである。電源入用スイッチ部４０は、図５に示すように、入用スイッチ本体４１、入用押圧部材４２、入用レバー部材４３、入用キャップ部材４４、及び入用伝達部６１１を有して構成されている。電源切用スイッチ部５０は、ユーザの操作によって、洗濯機１０の電源を切るためのものである。電源切用スイッチ部５０は、切用スイッチ本体５１、切用押圧部材５２、切用レバー部材５３、切用キャップ部材５４、スイッチ用光源５５、及び切用伝達部６１２を有して構成されている。
【００３１】
スイッチ本体４１、５１は、機械式スイッチであり、回路基板２６に設けられて図示しない電源回路を形成している。そして、入用スイッチ本体４１は、このスイッチ収容部２７１内に収容されている。入用スイッチ本体４１は、入力部４１１が押圧されると、図示しない電源回路を閉じて洗濯機１０の電源を入れる。切用スイッチ本体５１は、入力部５１１が押圧されると、図示しない電源回路を開き、これにより洗濯機１０の電源を切る。ちなみに、本実施形態の場合、基板ケース２７は、基板ケース２７の長手方向の端部に設けられた容器状のスイッチ収容部２７１を有している。
【００３２】
入用伝達部６１１及び切用伝達部６１２は、ケース部材６０と一体に形成されている。ケース部材６０は、底部６２の周囲を囲む周壁部６３を有した容器状に形成されている。伝達部６１１、６１２は、例えば底部６２の面に対して直角方向に延びる円柱状に形成され、底部６２を貫くように構成されている。そして、伝達部６１１、６１２は、伝達部６１１、６１２の軸方向に沿って弾性的に移動可能に構成されている。
【００３３】
この場合、ケース部材６０は、各伝達部６１１、６１２に対応した円筒部６４１、６４２、及びばね部６５１、６５２を有している。円筒部６４１、６４２は、底部６２から上方つまり押圧部材４２、５２側へ突出した円筒形状に形成されている。ばね部６５１、６５２は、円筒部６４１、６４２の端部の面をいわゆる渦巻き状に切り抜いて形成されている。
【００３４】
ばね部６５１、６５２の渦巻き状の一端部は円筒部６４１、６４２に接続され、他端部は伝達部６１１、６１２の軸方向の途中部分に接続されている。そして、ばね部６５１、６５２は、伝達部６１１、６１２が軸方向へ移動する際に弾性変形する。これにより、伝達部６１１、６１２は、伝達部６１１、６１２の軸方向に沿って弾性的に移動する。
【００３５】
この場合、ばね部６５１、６５２の渦巻き形状に沿って連通部６６１、６６２が形成されている。連通部６６１、６６２は、底部６２の厚み方向に連通している。この連通部６６１、６６２は、伝達部６１１、６１２をケース部材６０に対して移動可能に設けるために必須の要素である。この場合、伝達部６１１、６１２は、それぞればね部６５１、６５２及び連通部６６１、６６２の中心部を通して設けられている。
【００３６】
ケース部材６０は、透光部６７を有している。透光部６７は、底部６２を円筒形状に貫いて形成さている。この場合、透光部６７を構成する円筒は、底部６２から上方つまり回路基板２６と反対側へ向かって突出している。スイッチ用光源５５は、透光部６７の内側に配置され、回路基板２６に設けられている。スイッチ用光源５５は、例えばＬＥＤ等である。
【００３７】
この場合、図９に示すように、回路基板２６には、拡散部材２６２が設けられている。拡散部材２６２は、スイッチ用光源５５の周囲を囲んでいる。拡散部材２６２の内側は、回路基板２６側へ向かって細くなるような円錐形状に形成されている。換言すれば、回路基板２６側から上方へ向かって円錐形状に広がっている。これにより、スイッチ用光源５５から照射された光は、拡散部材２６２の内側面に沿って拡散される。
【００３８】
キャップ部材４４、５４は、弾性を有する材料例えばゴム等によって構成されている。本実施形態の場合、キャップ部材４４、５４は、ゴム製であるため透光性に劣っている。図５に示すように、キャップ部材４４、５４は、外径が異なる複数の円筒を順にその外径が小さくなるように連ねたような形状、いわゆる段付きの円錐状に形成されている。キャップ部材４４、５４の基端側つまり外径が大きい側は開放されており、先端側つまり外径が小さい側は閉じている。図７〜図９に示すように、キャップ部材４４、５４は、その基端側を円筒部６４１、６４２の外側に嵌められて設けられている。これにより、キャップ部材４４、５４は、伝達部６１１、６１２、及び連通部６６１、６６２を覆っている。
【００３９】
なお、伝達部６１１、６１２は、キャップ部材４４、５５と一体に構成してもよい。この場合、円筒部６４１、６４２は、ばね部６５１、６５２を有さない単純な円筒形状にすることができる。そしてこの場合、ばね部６５１、６５２に代えて、キャップ部材４４、５４自身の弾性力を利用することができる。
【００４０】
押圧部材４２、５２は、ユーザからの押圧操作を受ける押しボタンであり、例えば円板状のガラス又は透光性を有する樹脂等を母材にして構成されている。入用押圧部材４２の外径は、飾りパネル２１の入スイッチ用開口部２１１の内径よりも若干小さい。同様に、切用押圧部材５２の外径は、飾りパネル２１の切スイッチ用開口部２１２の内径よりも若干小さい。そして、図９に示すように、各押圧部材４２、５２は、それぞれ飾りパネル２１の開口部２１１、２１２の内側に設けられている。この場合、押圧部材４２、５２は、その押圧部材４２、５２の厚み方向つまり開口部２１１、２１２の円形の軸方向へ移動可能となっている。また、各押圧部材４２、５２が初期位置にある状態つまり押圧操作が行われていない状態において、各押圧部材４２、５２の外表面は、飾りパネル２１の外表面と略同一面上に位置している。
【００４１】
図６に示すように、入用押圧部材４２は、例えば「入」の文字を表示するための入用表示部４２１を有している。本実施形態の場合、入用表示部４２１は、例えば入用押圧部材４２の裏面に印刷されたもので、常に表示された状態となっている。入用表示部４２１は、飾りパネル２１の塗装色とは異なる色、例えば黒色で印刷されている。また、入用表示部４２１の周囲は、飾りパネル２１の塗装色と同一又は同系統の色に塗装されている。この場合、入用表示部４２１は、入用押圧部材４２の表面に印刷されたものでもよい。また、入用表示部４２１が印刷されたフィルムを、入用押圧部材４２の裏面又は表面に貼り付ける構成でもよい。
【００４２】
これに対し、切用押圧部材５２は、例えば「切」の文字を表示するための切用表示部５２１を有している。本実施形態の場合、切用表示部５２１は、例えば切用押圧部材５２の裏面に中抜き印刷されたもので、スイッチ用光源５５の点灯、消灯により、表示、非表示が切り替わる。切用表示部５２１の周囲は、飾りパネル２１の塗装色と同一又は同系統の色に塗装されている。この場合、切用表示部５２１は、切用押圧部材５２の表面に中抜き印刷されたものでもよい。また、切用表示部５２１が中抜き印刷されたフィルムを、切用押圧部材５２の裏面又は表面に貼り付ける構成でもよい。
【００４３】
この構成において、洗濯機１０の電源が切られている状態では、図１０に示すように、入用表示部４２１及び切用表示部５２１のうち入用表示部４２１のみが、飾りパネル２１に表示されている。一方、入用押圧部材４２が押圧操作されて洗濯機１０の電源が入った状態では、図１１に示すように、切用表示部５２１や、その他、洗濯機１０の初期設定等に必要な表示部２８が、飾りパネル２１に表示される。
【００４４】
図５等に示すレバー部材４３、５３は、押圧部材４２、５２に入力されたユーザからの押圧力を、キャップ部材４４、５４を介して伝達部６１１、６１２に伝達するためのものである。レバー部材４３、５３は、透光性を有する例えば透明な樹脂等によって形成されている。図７及び図８にも示すように、レバー部材４３、５３は、押圧部材４２、５２の押圧方向つまり押圧部材４２、５２の移動方向に対して、押圧部材４２、５２とキャップ部材４４、５４との間に設けられている。
【００４５】
本実施形態の場合、入用レバー部材４３と切用レバー部材５３とで、その具体的構成が異なっている。その理由は、次の通りである。すなわち、切用押圧部材５２に設けられた切用表示部５２１は、中抜き印刷されたものである。そのため、電源切用スイッチ部５０は、図８に示すように、表示、非表示を切り替えるためのスイッチ用光源５５を有している。そして、スイッチ用光源５５からの光は、透過性を有する切用レバー部材５３を通過し、切用押圧部材５２に照射される。これにより、スイッチ用光源５５の点灯によって、切用表示部５２１が切用押圧部材５２に表示される。そのため、電源切用スイッチ部５０において、スイッチ用光源５５と切用押圧部材５２との間に部品を設けることは、スイッチ用光源５５から照射された光が切用押圧部材５２に到達することを妨げるため好ましくない。なお、この場合、切用レバー部材５３は、透光性を有する材料で構成されているため、スイッチ用光源５５からの照射光を妨げる部品つまり遮光性を有する部品には該当しない。
【００４６】
一方、入用レバー部材４３に設けられた入用表示部４２１は、常時表示されたものであるため、表示、非表示を切り替えるための光源は不要である。そのため、電源入用スイッチ部４０においては、上述した事情を考慮する必要が無く、より簡単な構成にすることが好ましい。このような事情から、入用レバー部材４３と切用レバー部材５３とは、その構成が若干異なっている。
【００４７】
具体的には、入用レバー部材４３は、図５及び図７に示すように、受部４３１、平板部４３２、軸部４３３、及び挿入部４３４を一体に有して構成されている。受部４３１は、上側つまり入用押圧部材４２側が閉じた円筒形状に形成されている。受部４３１の円筒形状の内径は、入用キャップ部材４４及び円筒部６４１の外径よりも大きい。平板部４３２は、受部４３１の円筒形状の外周部分から延び出た平板状に形成されている。
【００４８】
軸部４３３は、平板部４３２における円筒部６４１とは反対側の端部に設けられている。軸部４３３は、円柱形状であり、平板部４３２の側面から側方へ突出している。そして、図６及び図７に示すように、入用レバー部材４３の軸部４３３は、ケース部材６０に設けられた軸受部６８１に挿入されている。この場合、受部４３１は、円筒部６４１、連通部６６１、及びキャップ部材４４を覆っている。そして、入用押圧部材４２は、受部４３１のキャップ部材４４とは反対側の面つまり上面に取り付けられている。このようにして、入用レバー部材４３は、ケース部材６０に対して、軸部４３３を支点にして入用押圧部材４２の押圧方向へ回動可能に設けられている。
【００４９】
挿入部４３４は、受部４３１の裏面側から下方へ突出した円筒形状に形成されている。挿入部４３４の円筒形状の内径は、入用キャップ部材４４の先端部の外径よりも若干大きい。そして、入用キャップ部材４４の先端部は、挿入部４３４の内側に挿入されている。
【００５０】
この場合、図７に示すように、入用スイッチ本体４１の入力部４１１と入用伝達部６１１と入用押圧部材４２とは、それぞれの移動方向に対する直線上に配置されている。すなわち、入用スイッチ本体４１の入力部４１１と入用伝達部６１１と入用押圧部材４２とは、それぞれ平面視において重なる位置に設けられている。
【００５１】
この構成において、ユーザが入用押圧部材４２に対して押圧操作を入力すると、入用レバー部材４３は、その押圧力を受けて軸部４３３を支点にして下方つまり入用スイッチ本体４１側へ回動する。そして、入用レバー部材４３の挿入部４３４は、入用レバー部材４３の回動に伴い、入用キャップ部材４４及び入用伝達部６１１を介して、入用スイッチ本体４１の入力部４１１を押圧する。これにより、入用押圧部材４２に入力された操作力は、入用レバー部材４３と入用キャップ部材４４と入用伝達部６１１とを介して入用スイッチ本体４１の入力部４１１に伝達され、入用スイッチ本体４１が作動する。
【００５２】
この構成では、入用レバー部材４３において、入用押圧部材４２から押圧力を受ける力点は受部４３１となり、入用伝達部６１１に対して押圧力を作用させる作用点は挿入部４３４となる。この場合、力点である受部４３１と作用点である挿入部４３４とは、入用押圧部材４２の移動方向に対して直線上に配置されている。換言すれば、力点である受部４３１と作用点である挿入部４３４とは、平面視において重なるように配置されている。
【００５３】
切用レバー部材５３は、図５及び図８に示すように、受部５３１、平板部５３２、軸部５３３、及び挿入部５３４を一体に有して構成されている。受部５３１、平板部５３２、及び軸部５３３は、それぞれ入用レバー部材４３の受部４３１、平板部４３２、及び軸部４３３と同様の構成である。そして、図６及び図８に示すように、切用レバー部材５３の軸部５３３は、ケース部材６０に設けられた軸受部６８２に挿入されている。
【００５４】
また、図８に示すように、受部５３１は、透光部６７を覆っている。そして、切用押圧部材５２は、受部５３１の上面に取り付けられている。挿入部５３４は、受部４３１と軸部４３３との間、つまり平板部５３２に設けられている。挿入部５３４の円筒形状の内径は、切用キャップ部材５４の先端部の外径よりも若干大きい。そして、切用キャップ部材５４の先端部は、挿入部５３４の内側に挿入されている。
【００５５】
この場合、切用スイッチ本体５１の入力部５１１と切用伝達部６１２とは、切用伝達部６１２の移動方向における直線上に配置されている。すなわち、切用スイッチ本体５１の入力部５１１と切用伝達部６１２とは、平面視において重なる位置に設けられている。一方、切用スイッチ本体５１の入力部５１１、切用伝達部６１２、及び切用キャップ部材５４は、受部５３１及び切用押圧部材５２に対して平面視において重ならない位置に設けられている。
【００５６】
この構成において、ユーザが切用押圧部材５２に対して押圧操作を入力すると、切用レバー部材５３は、その押圧力を受けて軸部５３３を支点にして下方つまり切用スイッチ本体５１側へ回動する。そして、切用レバー部材５３の挿入部５３４は、切用レバー５３の回動に伴い、切用キャップ部材５４及び切用伝達部６１２を介して、切用スイッチ本体５１の入力部５１１を押圧する。これにより、切用押圧部材５２に入力された操作力は、切用レバー部材５３と切用キャップ部材５４と切用伝達部６１２とを介して切用スイッチ本体５１の入力部５１１に伝達され、切用スイッチ本体５１が作動する。
【００５７】
この構成では、切用レバー部材５３において、切用押圧部材５２から押圧力を受ける力点は受部５３１となり、切用伝達部６１２に対して押圧力を作用させる作用点は挿入部５３４となる。すなわち、力点である受部５３１と作用点である挿入部５３４とは、入用押圧部材４２の移動方向に対してずれた位置に配置されている。換言すれば、力点である受部５３１と作用点である挿入部５３４とは、平面視において重ならないように配置されている。
【００５８】
ケース部材６０は、図５及び図９に示すように、排水部６９を有している。排水部６９は、周壁部６３の近傍に設けられており、底部６２から下方つまりスイッチ本体４１、５１側へ突出した矩形の筒状に形成されている。排水部６９は、底部６２を貫くことで、周壁部６３に囲まれた内側と外側とを底部６２の厚み方向つまり上下方向へ連通させている。また、排水部６９は、図９に示すように、スイッチ本体４１、５１の下端部、回路基板２６の下面、及び基板ケース２７の下面よりも下方へ延びている。ケース部材６０の底部６２に滴下した水等の液体は、排水部６９を伝って、スイッチ本体４１、５１の下端部、回路基板２６の下面、及び基板ケース２７の下面よりも下方へ排出される。
【００５９】
図２に示す取付部材２２は、操作表示装置２０を外箱１１に取り付けるためのものである。取付部材２２は、例えば樹脂製であって、全体として飾りパネル２１よりも若干大きい矩形の板状に形成されている。取付部材２２は、図２及び図１２に示すように、取付面２２１と位置決め部２２２とを有している。取付面２２１は、取付部材２２の大部分を占めるもので、平坦な面に形成されている。飾りパネル２１は、取付面２２１に取り付けられる。
【００６０】
位置決め部２２２は、取付面２２１の後端縁部にあって、飾りパネル２１側つまり上方へ突出して設けられている。位置決め部２２２は、飾りパネル２１の後端縁部を係止することで、取付部材２２に対する飾りパネル２１の取り付け位置を規定するためのものである。本実施形態の場合、位置決め部２２２は、取付面２２１の後端縁部にあって取付面２２１の長手方向へ沿って連続した壁状に形成されている。しかし、これに限られず、取付面２２１は、例えば複数個の突起状に形成してもよい。
【００６１】
次に、操作表示装置２０の組み立て及び外箱１１に対する取り付けについて説明する。
まず、操作表示装置２０の組み立てについて説明する。飾りパネル２１は、図２、図３及び図９に示すように、例えば両面テープ等の接着部材２９によって、取付部材２２の上面に貼り付けて接着固定されている。その際、作業者は、まず、接着部材２９を、飾りパネル２１の裏面又は取付部材２２の取付面２２１の何れか一方に貼り付ける。そして、作業者は、図１３に示すように、飾りパネル２１の後端縁部２１３を位置決め部２２２に当てながら、飾りパネル２１を取付面２２１上に配置する。これにより、飾りパネル２１は、取付部材２２に貼り付けられる。
【００６２】
次に、作業者は、透明電極フィルム２３を、飾りパネル２１の裏面に貼り付ける。そして、回路基板２６を基板ケース２７内に収容し、スイッチ装置３０を回路基板２６に取り付ける。そして、作業者は、回路基板２６上に光源ホルダ２５を配置し、更に光源ホルダ２５上に圧接部材２４を配置する。そして、作業者は、基板ケース２７を、取付部材２２の裏面側に取り付ける。この場合、図３に示すように、基板ケース２７と取付部材２２とは、例えばねじ等の締結部材７１や、スナップフィット構造７２等によって、相互に固定される。このようにして、操作表示装置２０が組み立てられる。
【００６３】
次に、外箱１１に対する操作表示装置２０の取り付けについて説明する。図１４に示すように、外箱１１の左右側壁１１３間の寸法すなわち収容部１１２の左右の側壁１１３間の寸法Ｗ１は、飾りパネル２１の左右方向の寸法Ｗ２よりも若干小さく設定されている。そして、作業者は、図１５に示すように、飾りパネル２１によって左右の側壁１１３間を押し広げえるようにして、操作表示装置２０を収容部１１２内に嵌め込む。そのため、操作表示装置２０が収容部１１２内に嵌め込まれた状態では、操作表示装置２０には、左右の側壁１１３の復元力が作用する。したがって、操作表示装置２０は、外箱１１に対して強固に固定される。なお、図１４及び図１５では、収容部１１２の左右側壁１１３間の寸法Ｗ１と飾りパネル２１の左右方向の寸法Ｗ２との関係を誇張して示している。
【００６４】
本実施形態の構成によれば、飾りパネル２１は、例えばガラス等の透光性を有する板材に対して、表示部２８を直接中抜き印刷して構成されている。これによれば、従来構成のように、例えば表示部２８が中抜き印刷されたフィルム等を、飾りパネル２１に貼り付ける必要がない。つまり、この構成によれば、表示部２８を構成するためのフィルムが不要になる。そのため、例えば液体洗剤や洗剤を溶解した水等の液体が飾りパネル２１の表面に付着したとしても、飾りパネル２１に貼り付けられたフィルムが剥がれることによる意匠性の低下等の問題は生じない。したがって、本実施形態によれば、操作表示装置２０の飾りパネル２１に対して液体洗剤や洗剤を溶解した水等の液体が接触することに起因する意匠性の低下を防ぐことができる。
【００６５】
更に、操作表示装置２０は、飾りパネル２１に対するユーザからのタッチ操作を検出することが可能な検出部材として、飾りパネル２１の裏面に設けられた透明電極フィルム２３を有している。これにより、ユーザは、飾りパネル２１に対するタッチ操作よって、洗濯機１０の運転に関する各種設定を行うことができる。一方、操作表示装置２０は、洗濯機１０の電源を入り切りするための機械式のスイッチ装置３０を有している。そして、スイッチ装置３０の押圧部材４２、５２は、飾りパネル２１に形成された開口部２１１、２１２から操作表示装置２０の外部へ露出している。
【００６６】
これによれば、ユーザは、飾りパネル２１に対するタッチ操作ではなく、機械式のスイッチ装置３０を押圧操作することで、洗濯機１０の電源を入り切りすることができる。この場合、機械式のスイッチ装置３０は、透明電極フィルム２３によるタッチセンサ式のスイッチに比べて、ユーザに対してより確かな操作感を与えることができる。一方、飾りパネル２１に対するタッチ操作は、押圧力を必要としないため、機械式のスイッチ装置３０に比べて、より軽い力で楽に操作することができる。
【００６７】
このように、本実施形態によれば、ユーザは、各種設定に関しては飾りパネル２１に対するタッチ操作によって軽い力で楽に操作を行うことができる、一方、洗濯機１０の電源の入り切りに関しては、機械式のスイッチ装置３０によってより確実に操作を行うことができる。これにより、操作表示装置２０の操作性を向上させることができる。
【００６８】
また、電源切用スイッチ部５０において、切用押圧部材５２及びスイッチ用光源５５と、切用伝達部６１２及び切用スイッチ本体５１とは、平面視において重ならない位置に設けられている。すなわち、スイッチ用光源５５と切用押圧部材５２との間には、スイッチ用光源５５から照射された光が切用押圧部材５２に到達することを妨げる部品が設けられていない。これによれば、機械式の切用スイッチ本体５１を採用しつつ、スイッチ用光源５５の点灯により、切用押圧部材５２に切用表示部５２１を表示させることができる。つまり、スイッチ用光源５５の点灯、消灯を切り替えることにより、切用表示部５２１を表示、非表示を切り替えることができる。したがって、洗濯機１０の電源が入っていないときには切用表示部５２１を非表示とし、洗濯機１０の電源が入っているときのみ切用表示部５２１を表示させることができる。これにより、飾りパネル２１の意匠性、ひいては洗濯機１０の意匠性を向上させることができる。
【００６９】
スイッチ装置３０は、連通部６６１、６６２を覆うキャップ部材４４、５４を有している。これによれば、例えば水等の液体が、飾りパネル２１の表面から裏面に回ってスイッチ装置３０のケース部材６０内に浸入したとしても、その水等の液体が、連通部６６１、６６２を通ってスイッチ本体４１、５１側へ回り込むことを防ぐことができる。したがって、スイッチ本体４１、５１に水等の液体が接触することによる不具合を極力防止することができる。
【００７０】
伝達部６１１、６１２は、ケース部材６０又はキャップ部材４４、５４と一体に形成されている。これによれば、部品点数を削減することができるため、スイッチ装置３０の組立工数を低減することができ、ひいてはスイッチ装置３０のコストを低減することができる。
【００７１】
ケース部材６０は、排水部６９を有している。排水部６９は、ケース部材６０の底部６２に滴下した水等の液体を、スイッチ本体４１、５１の側方を通ってケース部材６０の下方へ排水する。これによれば、飾りパネル２１の表面から裏面に回ってスイッチ装置３０のケース部材６０内に浸入した水等の液体を、より確実に排水することができる。
【００７２】
排水部６９は、スイッチ本体４１、５１の下端部よりも下方へ延びている。これによれば、排水部６９は、ケース部材６０の底部６２に滴下した水等の液体を、スイッチ本体４１、５１の下端部よりも下方に排出することができる。これにより、ケース部材６０の内部に液体が侵入した場合に、その液体をスイッチ本体４１、５１に接触させることなくより確実にケース部材６０の外部へ排出することができる。
【００７３】
また、本実施形態において、飾りパネル２１は、外箱１１の左右方向つまり幅方向の全域に亘る一枚のガラス板で構成されている。ガラス板は、例えばアクリル等の合成樹脂に比べて耐薬品性が高い。そのため、例えば液体洗剤や洗剤を溶解した水等の液体が、飾りパネル２１に長期間接触し続けても、いわゆるソルベントクラックつまり亀裂が生じるおそれは極めて低い。そのため、本実施形態によれば、飾りパネル２１に対して液体洗剤や洗剤を溶解した水等の液体が接触することによる意匠性の低下を、更に効果的に防ぐことができる。
【００７４】
更に、飾りパネル２１は、周囲に切欠きを有しない長方形状のガラス板であって、外箱１１の幅方向の全域に亘って設けられている。そのため、飾りパネル２１と外箱１１との間の隙間は、飾りパネル２１の中央部には形成されていない。この場合、飾りパネル２１の中央部の裏面には、例えば回路基板２６等の電気部品が設けられている。そのため、例えば飾りパネル２１の中央部に隙間が形成されていると、その隙間から、飾りパネル２１に滴下した液体が飾りパネル２１の裏面側に侵入し、回路基板２６に接触して不具合が発生するおそれがある。
【００７５】
一方、本実施形態によれば、飾りパネル２１の中央部に隙間は形成されていない。また、仮に液体が飾りパネル２１と外箱１１から飾りパネル２１の裏面側に浸入したとしても、その液体は、外箱１１の側壁１１３を伝って下方へ流れ落ちる。その結果、飾りパネル２１に滴下した液体が回路基板２６に接触することを更に効果的に抑制することができる。
【００７６】
ここで、飾りパネル２１の裏面に設けられた透明電極フィルム２３は、ユーザの指等が飾りパネル２１に接触した際における透明電極フィルム２３とユーザの指との間の静電容量の変化を検出するものである。そのため、飾りパネル２１の厚み寸法が面の全域に亘って均一でないと、タッチ位置によって透明電極フィルム２３の感度が変化し、その結果、操作性の低下に繋がる。これに対し、ガラス製の飾りパネル２１は、アクリル等の樹脂材料に比べて製造時の寸法誤差が生じ難い。そのため、飾りパネル２１の厚み寸法を高い精度で面全体に亘って均一にすることができる。これにより、透明電極フィルム２３の感度を飾りパネル２１の面全体に亘って均一にすることができ、その結果、操作性の向上が図られる。
【００７７】
表示部２８は、飾りパネル２１の母材となるガラス板の片面この場合裏面に対して、直接中抜き印刷することで形成されている。これによれば、表示部２８が中抜き印刷されたフィルム等を、飾りパネル２１に貼り付ける必要がない。したがって、例えば飾りパネル２１にフィルムを貼り付ける際に、飾りパネル２１とフィルムとの間に気泡が入ることによる意匠性の低下を回避することができる。また、飾りパネル２１の母材となるガラス板の片面に表示部２８を直接印刷することで、ガラス板の片面又は両面にフィルムを貼り付ける従来構成に比べて、作業工程の削減を図ることができる。
【００７８】
飾りパネル２１は、取付部材２２の取付面２２１に両面テープ等の接着部材２９によって貼り付け固定されている。そして、取付部材２２は、飾りパネル２１の取り付け位置を規定する位置決め部２２２を有している。これによれば、作業者は、飾りパネル２１を取付部材２２に取り付ける際の位置決めを容易に行うことができる。その結果、操作表示装置２０の組み立てに係る作業性を向上させることができる。
【００７９】
操作表示装置２０の大部分は、外箱１１の内部に設けられた収容部１１２内に収容されている。この場合、収容部１１２の左右の側壁１１３間の寸法Ｗ１は、飾りパネル２１の左右方向の寸法Ｗ２よりも小さく設定されている。そして、操作表示装置２０は、飾りパネル２１によって左右の側壁１１３を押し広げた状態で収容部１１２内に設けられている。これによれば、操作表示装置２０には、左右の側壁１１３の復元力が作用する。したがって、操作表示装置２０は、外箱１１に対して強固に固定される。
【００８０】
また、この場合、飾りパネル２１の左右側辺部には、収容部１１２の左右側壁１１３が押し付けられている。このため、飾りパネル２１の左右側辺部と収容部１１２の左右側壁１１３との間の隙間を低減することができる。その結果、飾りパネル２１と側壁１１３との間に隙間が形成されることによる意匠性の低下や、その隙間から水等の液体が侵入することを抑制することができる。
【００８１】
（他の実施形態）
なお、上記実施形態に限られず、例えば図１６に示すように、洗濯機１０は、飾りパネル２１内に嵌め込まれたタッチパネルディスプレイ８０を含む構成であってもよい。タッチパネルディスプレイ８０は、タッチ操作が可能なタッチパネルと液晶ディスプレイとを重ねて配置したものである。この場合でも、上記実施形態と同様の作用効果が得られる。
【００８２】
また、タッチパネルディスプレイ８０は、飾りパネル２１の裏面に貼り付けたものでもよい。この場合、飾りパネル２１において、タッチパネルディスプレイ８０に対応する部分には印刷が施されずに透明が維持され、タッチパネルディスプレイ８０の周囲には印刷が施される。そして、飾りパネル２１は、タッチパネルディスプレイ８０の周囲の領域つまり上記の印刷が施された領域に例えば両面テープ等の接着部材２９が設けられて、取付部材２２に貼り付けられる。これによれば、飾りパネル２１の表面には、タッチパネルディスプレイ８０による段差は生じない。したがって、タッチパネルディスプレイ８０を採用した場合であっても、飾りパネル２１の表面全体を平坦にすることができる。その結果、飾りパネル２１の表面の掃除がし易くなり、また、操作表示装置２の薄型化を図ることができる。
【００８３】
上記実施形態において、電源入用スイッチ部４０及び電源切用スイッチ部５０は、いずれも機械式のスイッチを採用したが、これに限られない。すなわち、少なくとも電源入用スイッチ部４０が機械式のスイッチであればよく、電源切用スイッチ部５０はタッチ式のスイッチであってもよい。また、電源入用スイッチ部４０及び電源切用スイッチ部５０を共用させることもできる。
【００８４】
また、上記実施形態において、入用表示部４２１及び切用表示部５２１は、それぞれ入用押圧部材４２及び切用押圧部材５２に設けられている。しかし、これに限られず、各表示部４２１、５２１を、それぞれレバー部材４３、４３において押圧部材４２、５２が設けられている部分つまり受部４３１、５３１に設けることができる。
【００８５】
以上、本発明の複数の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８６】
図面中、１０は洗濯機、１１は外箱、２０は操作表示装置、２１は飾りパネル、２１１は入スイッチ用開口部（開口部）、２１２は切スイッチ用開口部（開口部）、２３は透明電極フィルム（検出部材）、２６１は表示用光源、２８は表示部、３０はスイッチ装置、４１は入用スイッチ本体（スイッチ本体）、４２は入用押圧部材（押圧部材）、４３は入用レバー部材（レバー部材）、５１は切用スイッチ本体（スイッチ本体）、５２は切用押圧部材（押圧部材）、５２１は切用表示部（表示部）、５３は切用レバー部材（レバー部材）、５５はスイッチ用光源、６０はケース部材、６１１は入用伝達部（伝達部）、６１２は切用伝達部（伝達部）、６２は底部、６６１、６６２は連通部、６７は透光部、６９は排水部を示す。
【図１】
0006748410.tif 000002
【図２】
0006748410.tif 000003
【図３】
0006748410.tif 000004
【図４】
0006748410.tif 000005
【図５】
0006748410.tif 000006
【図６】
0006748410.tif 000007
【図７】
0006748410.tif 000008
【図８】
0006748410.tif 000009
【図９】
0006748410.tif 000010
【図１０】
0006748410.tif 000011
【図１１】
0006748410.tif 000012
【図１２】
0006748410.tif 000013
【図１３】
0006748410.tif 000014
【図１４】
0006748410.tif 000015
【図１５】
0006748410.tif 000016
【図１６】
0006748410.tif 000017